(57)【要約】  本発明は、上、下顎模型を付着させて、歯牙の配列関係を確認するために使用する咬合器に関するものであり、上顎と下顎の運動構造が簡単でありながらも咬合の誤差を最小化して上顎と下顎を咬合面に正確にマウンティングさせることができるようにした。現在の咬合器は、上下顎骨運動の形態を模倣して基準軸の位置を顆頭に合わせて製作されて折畳まれる方式を使っているが、このような方法は、筋肉の運動が全面排除された形態として上、下顎運動において、誤差が発生せざるを得ない。したがって、いくら多様な補助手段を利用して誤差を減らすと言っても必ず後加工が必要であるという問題点があるものであり、また、正確な咬合がなされることができない一方で、咬合器の構造があまりにも複雑で作業に困難が伴うものであった。したがって、本発明は、ノンアルコンタイプの咬合器において、上顎固定台と下顎固定台の中心平面の延長線上に基準軸を形成することで、回転運動の接線が咬合平面に垂直に作動するようにして従来の補助手段を利用して咬合状態を微細に調整するより生理的咬合にさらに近く上、下作動されて、咬合器の誤差範囲を最小化しながらも上顎固定台と下顎固定台の作動構造及び使用が簡単な構造でなされるようにした。【選択図】図２
2013521097.tif 000002
【特許請求の範囲】
【請求項１】
下顎モデル１００をマウンティングする下顎固定台１０と上顎モデル２００をマウンティングする上顎固定台２０に分割されて、下顎固定台１０と上顎固定台２０にそれぞれ係止台１１と回動軸２１が形成されて軸結合されて、前記下顎固定台１０と上顎固定台２０の後方に形成されたコラム１２、２２が同一な垂直高さを有するようになって、回動軸２１が咬合平面（α）の延長線上に位置されて、下顎固定台１０と上顎固定台２０が回動軸２１を中心に上、下に対称されるように作動して、前記上顎モデル２００と下顎モデル１００が上下で折畳される場合回転運動の接線（β）が咬合平面に垂直に作動されることを特徴とする咬合器。
【請求項２】
前記係止台１１は、後方に開口されたコの字形状の内入溝１１ａが形成されて、前記回動軸２１はコラム２２の下端に形成されたシャフト２３の両側に突き出されるように形成されて、上顎固定台２０が下顎固定台１０の後方に軸結合されて、前記上顎固定台１０の左、右側のコラム１２上端を連結する懸垂台１３に弾性作動する支持手段１４が形成されてシャフト２３の後方を加圧しながら下顎固定台１０と上顎固定台２０の軸結合状態を固定するようにすることを特徴とする請求項１に記載の咬合器。
【請求項３】
前記支持手段１４は、懸垂台１３の上面に突き出壁１５が上側に突出形成されて、押し台１６が突き出壁１５の貫通ホール１５ａに挿入されるように結合されて、前記押し台１６のヘッド１６ａと突き出壁１５との間には圧縮スプリング１７が装着されて、押し台１６を前方に加圧するようになりながら下顎固定台１０と上顎固定台２０の脱着が可能になるようになることを特徴とする請求項２に記載の咬合器。
【請求項４】
前記係止台１１は、内入溝１１ａの傾きが後方に−２゜傾いた形態で傾斜角が形成されて、上顎固定台２０の左、右捻り時に歯牙の生理的咬合にさらに近似値で動かされて、咬合測定がさらに精密になされるようになることを特徴とする請求項２に記載の咬合器。
【請求項５】
前記下顎固定台１０は、係止台１１に結合固定されて、下顎モデル１００の水平状態を調節するための別途のジグ３０が脱着可能になるようになって、前記係止台１１は後方に開口されたコの字形状の内入溝１１ａが形成されてジグ３０の回動軸３１が係止台１１の後方に軸結合されて、下顎固定台１０にジグ３０がワンタッチで脱着される構造でなされることを特徴とする請求項１に記載の咬合器。
【請求項６】
前記ジグ３０は、長方形のスロットホール３６が形成されて、そのスロットホールに臼齒ポジションピン３７が装着されて、調節取っ手３８の操作によって臼齒ポジションピン３７の位置操作が可能になるようになって、臼齒ポジションピン３７を絞りして臼齒の上面を加圧して、下部モデルを固定させることができるようになることを特徴とする請求項５に記載の咬合器。
【請求項７】
前記調節取っ手３８は、２段で形成されて臼齒ポジションピン２７を前、後方に移送しながら同時に上、下で昇下降させることができるようにすることで、臼齒ポジションピン３８の位置を設定できるようになることを特徴とする請求項６に記載の咬合器。
【請求項８】
前記回動軸３１は、コラム３２の下端に形成されたシャフト３３の左、右両側に突き出されるように形成されて、前記シャフト３３は後方に延長形成されたホック突起３４が形成されて懸垂台１３の下端に支持するようになって、前記ホック突起３４はねじホール３４ａが形成されてボルト３５の締めりでホック突起３４の上下高さを設定することで、ジグ３０の角度調節が可能になるようになることを特徴とする請求項５に記載の咬合器。
【発明の詳細な説明】
【技術分野】
【０００１】
本発明は、上、下顎模型を付着させて歯牙の配列関係を確認するために使用する咬合器に関するものであり、上、下顎の上顎と下顎の運動構造が簡単でありながらも咬合の誤差を最小化して、上顎と下顎を咬合面に正確にマウンティングさせることができるようにした。
【背景技術】
【０００２】
一般に、咬合器は、歯と歯ぐきの咬合状態を測定して入れ歯、歯冠修復、補綴物などの製作及び診断に使用される器具として頭蓋骨に対する顎骨及び歯牙の相対的位置関係や下顎の運動を機械的に模倣して再現する。
実際に人体で上下顎骨運動は、上顎骨は動かないで下顎骨が動く構造で大部分の咬合器の構造がこのような上下顎骨運動の形態を模倣してなされるものであり、上顎固定部と下顎固定部の折畳まれる基準軸は、顆頭を基準にしてなされる。
そして、このような咬合器の折畳構造は、顆頭要素の位置によって顆路誘導部が上顎側にあるアルコン（ａｒｃｏｎ  ｃｏｎｄｙｌａｒ）タイプの咬合器と、顆路誘導部が下顎側にあるノンアルコン（ｎｏｎａｒｃｏｎ  ｃｏｎｄｙｌａｒ）タイプの咬合器に区分されるものであり、ノンアルコンタイブの場合下顎運動の再現を重視する非調節性咬合器の構造であるので、使用頻度が高い。
しかし、このような咬合器の問題が歯牙模型を人体の上顎と下顎の構造と一番近接する条件として、上下顎歯牙模型を位置させることができるようにするために図１６及び図１７に示されたところのように人体の下顎運動を再現する構造で基準軸の位置が顆頭に合わせて製作されるようになるが、人体解剖学的に見る時に顆頭は、球形状でなされるので、軸の作動原理とは多くの差があり、また歯牙の上、下運動は、顆頭の位置と筋肉（咀嚼筋）運動の組合によって行われるが、前記のように顆頭の位置のみを基準軸にする場合筋肉の動きが排除された状態であるので、上下顎運動を測定する時に誤差が発生せざるを得ない。
また、このような誤差範囲を調節するために咬合器に多様な調節手段を形成して微細に誤差を調節するようにすることであるが、非調節性咬合器の場合単純開閉咬合だけ測定することができることで、誤差を調整するための手段が別に具備されていないので、このような誤差を修正する方法がない。
よって、咬合を測定する時に誤差が大きくなるようになるものであり、結局には補綴物を患者に挟んだ状態で後加工が必ず必要になる問題がある。
それだけでなく、このような従来の咬合器は、正確な咬合平面に上顎及び下顎モデルを位置させるためにゴム紐やレーザーなどの補助手段を利用して咬合平面の位置を確認しながら上、下顎モデルを固定させるようになるが、このようなことを利用して正確な位置にマウンティングするには多くの難しさがあって、また補助手段の自体厚さによって微細な誤差が発生するようになる問題がある。
【発明の概要】
【発明が解決しようとする課題】
【０００３】
本発明は、前記した従来の問題点を解決するために案出したものであり、上、下顎の運動時に生理的咬合の中心になる基準軸で位置を設定することで、咬合器の誤差範囲を最小化しながら咬合器の上顎固定台と下顎固定台の構造が簡単になされて製作が容易であり、上顎及び下顎モデルを咬合平面上に正確に位置させて精密な咬合がなされるようにすることにその目的がある。
【課題を解決するための手段】
【０００４】
前記目的を達成するために本発明は、上顎固定台と下顎固定台が折畳まれる咬合平面の延長線上に基準軸を形成することで、回転運動の接線が咬合平面に垂直に作動するようにして、前記上顎固定台の回動軸が下顎固定台のノンアルコンタイプの係止台に固定された状態の構造を有するようにした。
また、前記下顎固定台のノンアルコンタイブ係止台には、下顎モデルの水平状態を調節するためのジグが上部固定台と同一な方式で脱着されるようにすることで、上、下顎モデルを咬合平面上に正確に位置させることができるようにした。
【発明の効果】
【０００５】
前述したところのように本発明は、歯牙の生理的咬合の中心になる点を基準軸にして咬合器の誤差範囲を最小化してさらに精密な咬合が可能になって、このような咬合器の構造を単純化して製作が容易いでありながらも製作単価を減らすことができるようにした。
また、ジグを利用して咬合平面の位置を設定することができるので、咬合の誤差範囲をさらに減らすことができるようになる。
【図面の簡単な説明】
【０００６】
【図１】本発明の一実施例を示した斜視図である。
【図２】本発明の咬合器の折畳構造を示した側面図である。
【図３】本発明の咬合器の生理学的咬合状態を示した概略図である。
【図４】本発明の下顎固定台と上顎固定台の脱着構造を示した斜視図である。
【図５】本発明の下顎固定台と上顎固定台の脱着構造を示した側断面図である。
【図６】本発明の係止台のまた他の実施例を示した側面図である。
【図７】本発明の回動軸と係止台の捻り状態を示した平断面図である。
【図８】本発明の下顎固定台にジグが結合される状態の斜視図である。
【図９】本発明の下顎固定台とジグが結合された状態の斜視図である。
【図１０】図９のジグの使用事態を示した概略図である。
【図１１】図９のジグの使用事態を示した概略図である。
【図１２】本発明のジグのまた他の実施例を示した斜視図である。
【図１３】本発明のジグのまた他の実施例を示した斜視図である。
【図１４】本発明のジグのまた他の実施例を示した斜視図である。
【図１５】上、下顎モデルのマウンティング過程を示した概略図である。
【図１６】従来の咬合器の折畳構造を示した側面図である。
【図１７】従来の咬合器の基準軸位置を示した概略図である。
【発明を実施するための形態】
【０００７】
本発明は、下顎モデル１００をマウンティングする下顎固定台１０と上顎モデル２００をマウンティングする上顎固定台２０に分割されて、下顎固定台１０と上顎固定台２０にそれぞれ係止台１１と回動軸２１が形成された軸結合されて、前記下顎固定台１０と上顎固定台２０の後方に形成されたコラム１２、２２が同一な垂直高さを有するようになって、回動軸２１が咬合平面（α）の延長線上に位置されて、下顎固定台１０と上顎固定台２０が回動軸２１を中心に上、下に対称されるように作動して、前記上顎モデル２００と下顎モデル１００が上下で折畳される場合回転運動の接線（β）が咬合平面に垂直に作動されるようにした。
以下、本発明による望ましい実施例を添付した図面を参照して説明すれば次のようである。下記の添付図面では同一な構成要素に対しては同一な参照番号を使用した。
図１及び図２に示されたところのように本発明は、下顎固定台１０と上顎固定台２０でなされて上顎固定台２０の回動軸２１によって上、下で折畳まれるので、上顎固定台２０の水平度を調節することで、咬合平面（α）を設定して、その設定された咬合平面（α）に下顎モデル１００と上顎モデル２００をマウンティングして歯牙の配列関係を確認することができるようになる構造である。
この時、前記下顎モデル１００と上顎モデル２００は、下顎固定台１０と上顎固定台２０にそれぞれ装着されるものであり、それぞれの上、下顎モデル１００、２００は、石膏で固定するようになる。
また、下顎固定台１０と上顎固定台２０の後方にはそれぞれ係止台１１と回動軸２１が形成されて軸結合されるものであり、それぞれの係止台１１と回動軸２１は、下顎固定台１０と上顎固定台２０の後方に形成されたコラム１２、２２が同一な垂直高さを有するようになることで、回動軸２１の結合位置が下顎固定台１０と上顎固定台２０の中央高さに位置することができるようになる。
したがって、回動軸１１が咬合平面（α）の延長線上に位置されて、下顎固定台１０と上顎固定台２０が上、下に対称されるように作動するものであり、これによって図３に示されたところのように上顎モデル１００と下顎モデル２００の回転運動の接線（β）が咬合平面（α）に垂直に接するようになりながら歯牙の生理的咬合の中心になる点（Ｐ）を基準にして上、下で折畳されるようになる。
すなわち、前記上顎モデル１００と下顎モデル２００が後方の基準点（Ｐ）を中心に上、下で折畳されるようになって、上顎と下顎の運動構造が生理的歯牙運動に近く垂直に作動するようになるものであり、これによって咬合器の誤差範囲を最小化してさらに精密な咬合が可能になる。
そして、前記下顎固定台１０と上顎固定台２０の折畳まれる構造を図４に示された結合構造によってさらに詳しく説明すれば、下顎固定台１０はコラム１２の上端にコの字形状で後方に開放された内入溝１１ａが形成されて、上顎固定台２０は後方に形成されたコラム２２下端にシャフト２３が形成されて、その両側で回動軸２１が突出形成されて、回動軸２１が下顎固定台１０の内入溝１１ａに軸結合されて、上顎固定台２０が上、下に折畳自在になるようになる。
この時、前記下顎固定台１０は、左、右側のコラム１２上端を連結する懸垂台１３が形成されて、懸垂台１３上部に支持手段１４が形成されて上顎固定台２０が結合された状態で離脱されることを防止することができるようになるものであり、前記支持手段１４は前、後方に弾性作動する構造でなされて、上顎固定台２０をワンタッチで脱着させることができるようになる。
このために前記懸垂台１３の上面に突き出壁１５を形成して、その突き出壁１５に形成された貫通ホール１５ａに押し台１６が挿入されて、押し台１６のヘッド１６ａと突き出壁１５の間に圧縮スプリングを装着することで、押し台１６が前、後方に弾性作動しながら上顎固定台２０を弾性支持した状態で固定するようになる。
この時、前記上顎固定台２０を分離させようとする場合には、下顎固定台１０を取った状態で上顎固定台２０を後方に押せば押し台１６が後方に押されるようになりながら上顎固定台２０の回動軸２１が係止台１１から離脱されるものであり、これによって上顎固定台２０を上側に引き出すことができるようになる。
よって、下部モデル１００と上部モデル２００をマウンティングするか、またはとり除く場合上顎固定台２０を分離した後簡単に作業することができるようになるので、マウンティング作業が容易になされながらも作業時間を縮めることができるようになる。
この時、前記シャフト２３は後方に延長形成されたホック突起２４を形成すれば、懸垂台１３の下面にホック突起２４の上面が係止されながら上顎固定台２０の傾きを制限できるようになるものであり、この時、前記ホック突起２４にねじホール２４ａを形成して、ボルト２５を絞りすれば、ボルト２５の絞り状態にしたがって懸垂台１３とホック突起２４の離隔空間を調節して、上顎固定台２０の制限角度を微細に設定することができるようになる。
そして、このような咬合器は、モデル１００、２００の咬合状態を確認するためにモデル間に咬合紙を入れて下部モデル１００と上部モデル２００を左、右で拗ってくれることで、歯牙の咬合状態を確認する過程を通すようになるが、前述したところのように係止台１１の形状がコの字形状でなされることで、図７でのように回動軸２１の後方抜け出しが可能になるようになって、支持手段１４によって前方に加圧された状態で下顎固定台１０と上顎固定台２０を左、右に拗ることができるようになる。  
【０００８】
この時、前記係止台１１は、内入溝１１ａが外側方向に傾くように形成することで、上顎固定台２０の左、右捻り時に回動軸２１が内入溝１１ａの外側顎にかからないようになって、円滑に左、右で拗ることができるようになることで、この時、前記内入溝１１ａは、図６のように後方に傾いた形態で−２゜に傾斜角を有するようにすれば、上顎固定台２０の左、右捻り時に歯牙の生理的咬合にさらに近似値で動きになって、咬合測定がさらに精密になされるようになる。
この時、傾斜角を−２゜に設定する理由は、人体解剖学的に、生理的咬合の中心になる点（Ｐ）と切歯点を連結した仮想線を基準線にして生理的咬合の中心になる点（Ｐ）と前置の上部末点を連結した線の角度が−２゜でなされるようになるが、これに合うように上述したところのように内入溝１１ａの上面を−２゜に傾斜角を有するようにすれば、生理的咬合にさらに近く左、右拗じれがなされるようになる。
そして、このような咬合器の作業手順を説明すれば、下顎固定台１０の上側に下部モデル１００を位置させた後石膏を利用してマウンティングして、その後上顎固定台２０の下側に上部モデル２００を位置させて石膏を利用してマウンティングして、上、下顎固定台１０、２０を折畳することで、咬合状態を確認する手順でなされるので、この時、図８及び図９に示されたところのように前記下部モデル１００を位置させる場合、別途のジグ３０を利用して咬合平面上に定位置させることができるようになるものであり、このようなジグ３０の脱着構造は、上述した上顎固定台２０の装着構造と同一な構造でなされるようにすることが望ましい。
すなわち、前記ジグ３０は、後方に形成されたコラム３２下端にシャフト３３が形成されて、その両側で回動軸３１が突出形成されて回動軸３１が下顎固定台１０の内入溝１１ａに軸結合されて、ジグ３０が上、下に折畳自在になるようになるものであり、この時にも前記ジグ３０は、下顎固定台１０に形成された支持手段によって回動軸３１が係止台１１に結合された状態で前方に加圧されて、軸結合状態を維持することができるようになる。
このような組み立て構造によって反対にジグ３０を抜く場合にジグ３０を後方に引いた後ワンタッチで簡単に引き出すことができるようになる。
また、下顎固定台１０にジグ３０を装着することで、下顎モデル１００の咬合平面（α）を設定してくれて下顎モデル１００をジグ３０の下端に簡単に密着させて位置を取ることができるようにしてくれることで、ジグ３０の下部面自体が咬合平面（α）になるので、これによって目測やゴム紐、レーザーのような別途の手段を使用する必要なしにジグ３０の下端に下顎モデル１００を密着させることで咬合平面（α）の正確な位置に下部モデル１００を位置させることができるようになる。
そして、前記ジグ３０は、長方形のスロットホール３６を形成して、前記スロットホール３６に臼齒ポジションピン３７と調節取っ手３８を装着すれば、調節取っ手３８を絞りするか、または解きながら臼齒ポジションピン３７の位置を前、後方に移動させることができるようになって、下顎モデル１００の装着状態を固定することができるようになる。
この時、前記調節取っ手３８は、図１２に示されたところのように上、下２段で形成して、上側の取っ手は臼齒ポジションピン３７を昇下降させて上、下高さを調節できるようにしながら下側の取っ手は、臼齒ポジションピン３７を前、後方に調節して、下顎モデル１００に合う位置に移動するようにできる。
この場合、前記スロットホール３６にラックギアを形成して、ラックギアと下側の取っ手が噛み合って連動されるようにすれば、臼齒ポジションピン３８の微細な調整が可能になる。
そして、この時前記ジグ３０のシャフト３３に後方に延長形成されたホック突起３４を形成すれば、懸垂台１３の下面にホック突起３４の上面が係止されながらジグ３０の傾きを制限できるようになるものであり、この時、前記ホック突起３４にねじホール３４ａを形成して、ボルト３５を絞りすれば、ボルト３５の絞り状態にしたがって懸垂台１３とホック突起３４の離隔空間を調節してジグ３０の制限角度を微細に設定することができるようになる。
【図１】
2013521097.tif 000003
【図２】
2013521097.tif 000004
【図３】
2013521097.tif 000005
【図４】
2013521097.tif 000006
【図５】
2013521097.tif 000007
【図６】
2013521097.tif 000008
【図７】
2013521097.tif 000009
【図８】
2013521097.tif 000010
【図９】
2013521097.tif 000011
【図１０】
2013521097.tif 000012
【図１１】
2013521097.tif 000013
【図１２】
2013521097.tif 000014
【図１３】
2013521097.tif 000015
【図１４】
2013521097.tif 000016
【図１５】
2013521097.tif 000017
【図１６】
2013521097.tif 000018
【図１７】
2013521097.tif 000019
【国際調査報告】
2013521097.tif 000020
2013521097.tif 000021
2013521097.tif 000022
2013521097.tif 000023